(57)【要約】【課題】  支持軸を喪失してしまうことを抑制できるドラム支持装置を提供する。【解決手段】  ドラムＤの中央軸孔に挿通し、ドラムＤを回転自在に支持する支持軸１と、一対の脚部材３，４の上部を揺動開閉自在に連結して、支持軸１を横架させた形態で支持可能な自立姿勢と相対近接揺動させた格納姿勢とに切り換え自在に構成するとともに、脚部材３，４の上部におけるドラム回転軸芯方向の複数箇所に、支持軸１の径方向での着脱を許容する開口７ｍを備えた軸受け部７を設けてある支持台２とからなるドラム支持装置において、支持台２が格納姿勢に切り換えられたとき、軸受け部７に着装されている支持軸１の抜け出し移動を防止する抜け止め手段Ｓを設ける。【選択図】        図２
2005178977.tif 000002
【特許請求の範囲】
【請求項１】
ドラムの中央軸孔に挿通し、ドラムを回転自在に支持する支持軸と、
一対の脚部材の上部を揺動開閉自在に連結して、支持軸を横架させた形態で支持可能な自立姿勢と相対近接揺動させた格納姿勢とに切り換え自在に構成するとともに、脚部材の上部におけるドラム回転軸芯方向の複数箇所に、支持軸の径方向での着脱を許容する開口を備えた軸受け部を設けてある支持台とからなるドラム支持装置であって、
前記支持台が格納姿勢に切り換えられたとき、軸受け部に着装されている支持軸の抜け出し移動を防止する抜け止め手段が設けられているドラム支持装置。
【請求項２】
前記抜け止め手段が、支持台が自立姿勢にあるとき、脚部材の軸受け部の開口を通して支持軸の着脱を許容するように構成されている請求項１記載のドラム支持装置。
【請求項３】
前記抜け止め手段が、支持台が自立姿勢に切り換えられたときにも、脚部材の軸受け部に支持されている支持軸の径方向外方への抜け出し移動を防止するように構成されているとともに、支持台が自立姿勢と格納姿勢との間の特定姿勢にあるとき、軸受け部の開口を通して支持軸の着脱を許容するように構成されている請求項１記載のドラム支持装置。
【請求項４】
前記各脚部材の上部における少なくともドラム回転軸芯方向の二箇所に、軸受け部を構成する軸受け部材が、開口を形成する半円筒状又はそれに類似する形状でドラム回転軸芯方向に同芯又は略同芯状態で配置可能に設けられているとともに、
前記抜け止め手段が、前記軸受け部材のうち、互いに近接して軸受け部を構成する両軸受け部材を、支持台が格納姿勢に切り換えられたとき、それら両軸受け部材の開口で形成される実質開口幅が支持軸の外径よりも小となる状態で組み付けることにより構成されている請求項１〜３のいずれか１項に記載のドラム支持装置。
【請求項５】
前記両軸受け部材どうしが、ドラム回転軸芯周りで揺動自在に嵌合連結されている請求項４記載のドラム支持装置。
【請求項６】
前記両軸受け部材のうち、一方の軸受け部材には他方の軸受け部材に対してドラム回転軸芯方向から着脱並びに相対回転自在に内嵌し、かつ、内周面が軸受け面に構成にされている半円筒状又はそれに類似する形状の連結部材が、それらの開口を合致させた状態で固着されている請求項４又は５記載のドラム支持装置。
【請求項７】
前記軸受け部を構成する両軸受け部材の隣接端面間には、支持台が自立姿勢及び格納姿勢にあるときにドラム回転軸芯方向から係合する位置決め手段が設けられている請求項４〜６のいずれか１項に記載のドラム支持装置。
【請求項８】
前記一方の脚部材に設けられる両軸受け部の外側端面間寸法が、他方の脚部材に設けられる両軸受け部の最大内側端面間寸法よりも小に構成されている請求項１〜７のいずれか１項に記載のドラム支持装置。
【請求項９】
前記支持軸が、脚部材に設けられる両軸受け部の最大外側端面間寸法よりも大の長さに構成されていて、両軸受け部よりも外方に突出する両軸部分が把持部に構成されているとともに、各把持部の内方側には、軸受け部の外側端面と接当可能な鍔部が形成されている請求項１〜８のいずれか１項に記載のドラム支持装置。
【発明の詳細な説明】
【技術分野】
【０００１】
本発明は、ドラムの中央軸孔に挿通された支持軸と、一対の脚部の上部を揺動開閉自在に連結して、ドラムを横架させた状態で回転自在に支持可能な自立姿勢と相対近接揺動させた格納姿勢とに切り換え自在に構成するとともに、脚部材の上部におけるドラム回転軸芯方向の複数箇所に、支持軸の径方向での着脱を許容する開口を備えた軸受け部を設けてある支持台とからなるドラム支持装置に関する。
【背景技術】
【０００２】
従来のドラム支持装置としては、例えば、図１０及び図１１に示すように、ドラムＤの軸孔に連通する支持軸１０１と、その支持軸１０１を着脱自在に支持するための支持台１０２とから構成されたものがあり、その支持台１０２は、支持軸１０１を着脱自在に受ける半円筒形状又はそれに類似する形状で、支持軸１０１の外径よりも大きい幅の開口を形成した軸受け部１０３と、軸受け部１０３を上端に備えた柱部１０４と、その柱部１０４の下端にドラム回転軸芯方向とは直交する方向の両側それぞれに設けられている基部１０５とからなる一対の脚部材１０６を、両脚部材１０６の柱部１０３の下端をドラム回転軸芯方向で繋ぎ部材１０７により連結して形成されている。
そして、各基部１０４は、柱部１０３の下端においてそれぞれ揺動軸部１０８周りでドラム回転軸芯方向に揺動自在に取り付けられ、柱部１０３の長手方向に沿って折り畳んで格納姿勢にすることができる。
また、支持軸１０１に、支持台１０２の軸受け部１０４の内側端面と接当する鍔部が形成されており、支持軸１０１の支持台１０２に対する位置決め手段となっている。
【発明の開示】
【発明が解決しようとする課題】
【０００３】
しかしながら、従来のドラム支持装置には、装置を搬送する際に折り畳んで格納姿勢にすることはできるが、支持軸１０１は着脱自在な状態のままであるため、搬送時においては、支持軸１０１を軸受け部１０３から取り外して保管しておかなければならず、置き忘れ等により支持軸を喪失する恐れがあった。
この実情に鑑み、本発明の主たる課題は、合理的な改良を以って、上記の問題を効果的に解消する点にある。
【課題を解決するための手段】
【０００４】
本発明の第１特徴構成は、ドラム支持装置に係り、その特徴は、
ドラムの中央軸孔に挿通し、ドラムを回転自在に支持する支持軸と、
一対の脚部材の上部を揺動開閉自在に連結して、支持軸を横架させた形態で支持可能な自立姿勢と相対近接揺動させた格納姿勢とに切り換え自在に構成するとともに、脚部材の上部におけるドラム回転軸芯方向の複数箇所に、支持軸の径方向での着脱を許容する開口を備えた軸受け部を設けてある支持台とからなるドラム支持装置において、
前記支持台が格納姿勢に切り換えられたとき、軸受け部に着装されている支持軸の抜け出し移動を防止する抜け止め手段が設けられている点にある。
【０００５】
つまり、この構成であれば、脚部材を相対近接揺動させて支持台を格納姿勢に切り換えることで、抜け止め手段が軸受け部に横架させた形態で着装している支持軸の抜け出し移動を防止できるので、ドラム支持装置を使用していないときであっても、支持軸を支持台と共に保管することができることから、例えば、支持台に対して支持軸を起伏揺動自在に常設してある場合に比べて、重量のあるドラムの中央軸孔に対する支持軸の挿通作業及びドラムの中央軸孔に挿通させた支持軸の支持台の軸受け部に対する着脱作業を容易に行うことのできる支持軸着脱式のドラム支持装置において、支持軸のみを置き忘れ等により喪失してしまうことを効果的に防止することができる。
【０００６】
本発明の第２特徴構成は、第１特徴構成の実施において好適な構成であり、その特徴は、
前記抜け止め手段が、支持台が自立姿勢にあるとき、脚部材の軸受け部の開口を通して支持軸の着脱を許容するように構成されている点にある。
【０００７】
つまり、この構成であれば、支持台が対地的に最も安定した自立姿勢にあるとき、脚部材の軸受け部の開口を通して軸受け部に横架させた形態で支持している支持軸の着脱が許容されるので、例えば、支持軸に支持されているドラムを交換する場合などにおいても、容易に支持軸を軸受け部から抜脱することができるとともに、再び支持軸を軸受け部に横架させた形態で支持することも容易に行うことができ、よって、ドラム装着作業やドラム交換作業等における作業効率を向上させることができる。
【０００８】
本発明の第３特徴構成は、第１特徴構成の実施において好適な構成であり、その特徴は、
前記抜け止め手段が、支持台が自立姿勢に切り換えられたときにも、脚部材の軸受け部に支持されている支持軸の径方向外方への抜け出し移動を防止するように構成されているとともに、支持台が自立姿勢と格納姿勢との間の特定姿勢にあるとき、軸受け部の開口を通して支持軸の着脱を許容するように構成されている点にある。
【０００９】
つまり、この構成であれば、支持台が自立姿勢にあるときと格納姿勢にあるときは、支持軸の径方向外方への抜け出し移動を防止し、支持台を特定姿勢にしたときに、軸受け部の開口を通して軸受け部に横架させた形態で支持している支持軸の着脱が許容されるので、格納姿勢にあるときだけでなく、ドラムを回転自在に支持している支持軸を横架させた形態で支持している自立姿勢にあるときでも、支持軸が軸受け部から径方向外方へ抜け出すことを防止するので、例えば、ケーブルを巻装しているケーブルドラムを回転自在に支持している場合に、ケーブルの繰り出しに伴って支持軸に径方向への外力が作用しても、支持軸が軸受け部から不慮に抜脱することを効果的に防止することができる。
【００１０】
本発明の第４特徴構成は、第１〜第３特徴構成のいずれか１つの特徴構成の実施において好適な構成であり、その特徴は、
前記各脚部材の上部における少なくともドラム回転軸芯方向の二箇所に、軸受け部を構成する軸受け部材が、開口を形成する半円筒状又はそれに類似する形状でドラム回転軸芯方向に同芯又は略同芯状態で配置可能に設けられているとともに、
前記抜け止め手段が、前記軸受け部材のうち、互いに近接して軸受け部を構成する両軸受け部材を、支持台が格納姿勢に切り換えられたとき、それら両軸受け部材の開口で形成される実質開口幅が支持軸の外径よりも小となる状態で組み付けることにより構成されている点にある。
【００１１】
つまり、この構成であれば、支持台が格納姿勢に切り換えられたとき、それら両軸受け部材の開口で形成される実質開口幅が支持軸の外径よりも小となる状態で組み付けることで、格納姿勢にある支持台の軸受け部から支持軸が径方向外方へ抜け出すことを確実に防止することができ、しかも、半円筒状又はそれに類似する形状の軸受け部材の組み付けを工夫するだけであるから、例えば、両脚部材の揺動に連動して軸受け部の開口側に突出移動する抜け止め部材を設ける場合に比して、構造の簡素化及び製造コストの低廉化を図ることができる。
【００１２】
本発明の第５特徴構成は、第４特徴構成の実施において好適な構成であり、その特徴は、
前記両軸受け部材どうしが、ドラム回転軸芯周りで揺動自在に嵌合連結されている点にある。
【００１３】
つまり、この構成であれば、支持軸を受けるための軸受け部材を、両脚部材を揺動開閉自在に連結するための部材に兼用構成することができるので、従来のドラム支持装置のように、基部やその基部を格納姿勢に折り畳むための揺動軸部等を別途設ける必要がなく、装置全体として構造の簡素化及び製造コストの低廉化を図ることができる。
【００１４】
本発明の第６特徴構成は、第４又は第５特徴構成の実施において好適な構成であり、その特徴は、
前記両軸受け部材のうち、一方の軸受け部材には他方の軸受け部材に対してドラム回転軸芯方向から着脱並びに相対回転自在に内嵌し、かつ、内周面が軸受け面に構成にされている半円筒状又はそれに類似する形状の連結部材が、それらの開口を合致させた状態で固着されている点にある。
【００１５】
つまり、この構成であれば、自立姿勢又は自立姿勢と格納姿勢との間の特定姿勢では、脚部材の軸受け部の開口を通して支持軸の着脱を許容する状態である軸受け部において、支持台を格納姿勢にすると、一方の軸受け部材の開口と他方の軸受け部材の開口とがドラム回転方向において位置齟齬した状態、すなわち、それら両軸受け部材の開口で形成される実質開口幅が支持軸の外径よりも小となる抜け止め手段となり、支持軸の軸受け部から径方向外方への抜け出しを防止することができる。
しかも、一方の軸受け部材に固着させた半円筒状又はそれの類似形状の連結部材を以って、軸受け部を構成する両軸受け部材どうしを連結することができると共に、連結部材の内周面が軸受け面に形成されているので、各部材が支持軸の外周側に同芯状態でコンパクトに配置されることになり、装置全体として構造の簡素化を図ることができる。
【００１６】
本発明の第７特徴構成は、第４〜第６特徴構成のいずれか１つの特徴構成の実施において好適な構成であり、その特徴は、
前記軸受け部を構成する両軸受け部材の隣接端面間には、支持台が自立姿勢及び格納姿勢にあるときにドラム回転軸芯方向から係合する位置決め手段が設けられている点にある。
【００１７】
つまり、この構成であれば、両軸受け部材の隣接端面間に形成された位置決め手段が係合し両軸受け部材の相対揺動を規制するので、支持台を自立姿勢及び格納姿勢に維持することができ、これによって、支持台を自立姿勢のまま移動させることができるとともに、位置決め手段により格納姿勢が維持されて、格納姿勢時に作用する抜け止め手段による支持軸の径方向外方への抜け止め作用が解除されることが回避されるので、例えば、搬送時の振動等により支持軸が軸受け部から脱落することも効果的に防止することができる。
【００１８】
本発明の第８特徴構成は、第１〜第７特徴構成のいずれか１つの特徴構成の実施において好適な構成であり、その特徴は、
前記一方の脚部材に設けられる両軸受け部の外側端面間寸法が、他方の脚部材に設けられる両軸受け部の最大内側端面間寸法よりも小に構成されている点にある。
【００１９】
つまり、この構成であれば、支持台を格納姿勢にしたとき、一方の脚部材内に他方の脚部材が格納される形態となって、支持台がコンパクトに畳まれるので、小さな収納スペースに対しても支持台を収納することができ、装置の保管の面並びに搬送の面において有利である。
【００２０】
本発明の第９特徴構成は、第１〜第８特徴構成のいずれか１つの特徴構成の実施において好適な構成であり、その特徴は、
前記支持軸が、脚部材に設けられる両軸受け部の最大外側端面間寸法よりも大の長さに構成されていて、両軸受け部よりも外方に突出する両軸部分が把持部に構成されているとともに、各把持部の内方側には、軸受け部の外側端面と接当可能な鍔部が形成されている点にある。
【００２１】
つまり、この構成であれば、支持軸に両軸受け部よりも外方に突出する把持部を形成し、各把持部の内方側に鍔部を形成することで、ドラムを回転自在に支持している支持軸を支持台の軸受け部に支持させる際に、鍔部の外方側を把持部として把持して鍔部の内方側に軸受け部が位置するように支持させるだけで、支持軸を所定の位置で支持台に支持させることができて、装置全体として取り扱い性が向上するとともに、作業中におけるドラムの回転による支持軸のドラム回転軸芯方向への摺動も規制することができる。
更に、鍔部を設けることで、格納姿勢にある支持台の軸受け部からドラム回転軸芯方向への抜け出しも確実に防止することができる。
【発明を実施するための最良の形態】
【００２２】
〔第１実施形態〕
図１〜図６は、本発明の第１実施形態を示し、Ｄは電線や光ファイバー等のケーブルＣを巻装してあるドラム（ケーブルドラム）、１はケーブルドラムＤの中央軸孔に挿通しケーブルドラムＤを回転自在に支持するステンレス鋼製の支持軸、２はその支持軸１を着脱自在に支持する支持台であり、支持台２は、一対の脚部材３，４をドラム回転軸芯周りで相対揺動自在に連結して形成されていて、一対の脚部材３，４を揺動操作して畳んだ格納姿勢と、両脚部材３，４を相対揺動させて所定の角度に開いた自立姿勢とにすることができる。
【００２３】
両脚部材３，４は、２本のステンレス鋼製のパイプからなる脚部５とそれらの２本の脚部５を連結する横断面ほぼＬ字状のステンレス鋼製の繋ぎ部６とから形成され、両脚部５の上部には、支持軸１の径方向外方への着脱を許容する開口７ｍを備えた断面優弧形状（半円筒状又はそれに類似した形状の一例）の軸受け部材７Ａ，７Ｂが溶接されて設けられていて、連結される他方の脚部材３，４に設けられている軸受け部材７Ａ，７Ｂと共に軸受け部７を構成する。
【００２４】
両脚部材３，４は、軸受け部７を構成する軸受け部材７Ａ，７Ｂのうち、ドラム回転軸芯方向の外方側に位置する軸受け部材７Ａを備えた外側脚部材３と、ドラム回転軸芯方向の内方側に位置する軸受け部材７Ｂを備えた内側脚部材４とから構成されており、外側脚部材３の軸受け部材７Ａの内周面には、内側脚部材４の軸受け部材７Ｂの内周面に対して、ドラム回転軸芯方向から着脱並びにドラム回転軸芯方向周りで相対回転自在に内嵌する連結部材１０をビス等で固着することにより、外側脚部材３の軸受け部材７Ａと内側脚部材４の軸受け部材７Ｂとがドラム回転軸芯周りで揺動（回動）自在に同芯状態で嵌合連結されている。
【００２５】
軸受け部７を構成する両軸受け部材７Ａ，７Ｂの隣接端面間には、両脚部材３，４の相対揺動位置を固定（係合保持）して、支持台２を自立姿勢及び格納姿勢で維持するための位置決め手段として、図６（イ）に示すように、外側脚部材３の軸受け部材７Ａには一つの凸部８が形成され、内側脚部材４の軸受け部材７Ｂには、図６（ロ）に示すように、外側脚部材３の軸受け部材７Ａに形成された凸部８と支持台２が自立姿勢にあるときに係合してその自立姿勢を維持する第１凹部９Ａと、支持台２が格納姿勢にあるときに係合してその格納姿勢を維持する第２凹部９Ｂとが形成されている。
【００２６】
各軸受け部材７Ａ，７Ｂの開口７ｍは、支持軸１の外径ｄよりもやや大きな幅２Ｗに形成されている。
【００２７】
両脚部材３，４を連結する連結部材１０は、両軸受け部材７Ａ，７Ｂの内径と略同一の大きさの外径で形成される外周面と、支持軸１の外径ｄとほぼ同一の大きさの内径で形成される内周面と、支持軸１の外径ｄよりもやや大きな幅２Ｗの開口１０ｍとを備えた断面優弧形状（半円筒状又はそれに類似する形状の一例）に形成されている。
【００２８】
そして、連結部材１０の開口１０ｍと外側脚部材３の軸受け部材７Ａの開口７ｍとをドラム回転方向で合致させた状態で、外側脚部材３の軸受け部材７Ａに連結部材１０の外側半部分を内嵌して固着するとともに、内側脚部材４の軸受け部材７Ｂに連結部材１０の内側半部分を揺動自在に内嵌させて、両脚部材３，４の軸受け部７Ａ，７Ｂを連結してあり、更に、連結部材１０の内周面１０ａが軸受け部７における支持軸１を受ける軸受け面に構成されている。
【００２９】
このように構成することにより、一対の脚部材３，４を相対揺動自在に連結して形成した支持台２が自立姿勢にあるときは、図４（イ）に示すように、両軸受け部材７Ａ，７Ｂの開口７ｍがドラム回転方向で合致した状態となり、支持軸１を挿通するための実質開口幅１Ｗが支持軸１の外径ｄよりも大（すなわち、軸受け部材７Ａ，７Ｂの開口幅と同一幅）となるので、支持軸１を軸受け部７から着脱を許容した状態となる。
【００３０】
そして、軸受け部７を構成する外側脚部材３の軸受け部材７Ａと内側脚部材４の軸受け部材７Ｂとを、支持台２が格納姿勢にあるとき、図４（ロ）に示すように、外側脚部材３の軸受け部材７Ａにおける周方向一側方の側辺部と内側脚部材４の軸受け部材７Ｂにおける周方向他側方の側辺部とが互いの開口７ｍに対してドラム回転方向から入り込んだ状態、すなわち、両軸受け部材７Ａ，７Ｂの開口７ｍで形成される支持軸１を挿通するための実質開口幅１Ｗが支持軸１の外径ｄよりも小となるように組み付けることにより、支持台２が格納姿勢に切り換えられたとき、支持軸１が軸受け部７の開口７ｍから径方向外方に抜け出ることを防止する抜け止め手段Ｓが構成されている。
【００３１】
脚部５どうしを連結する繋ぎ部６は、各脚部５の下方側の位置で固着されており、重量のあるケーブルドラムＤを支持するときの支持台２の補強部材を兼ねている。
【００３２】
そして、両脚部材３，４の繋ぎ部６には、それら繋ぎ部６を繋ぐ可撓性のベルト１１が配設されていて、自立姿勢にある支持台２の両脚部材３，４が、ケーブルドラムＤの重量により、自立姿勢となる所定の角度以上に開くことを規制している。
【００３３】
支持軸１は、両軸受け部７の最大外側端面間寸法よりも大の長さに構成されていて、両軸受け部７よりも外方に突出する両端側の部分を把持部１ａとし、各把持部１ａの内方側に軸受け部７の外側端面と接当可能な鍔部１ｂが形成されている。
【００３４】
鍔部１ｂは、各把持部１ａの内方側に設けることで、ケーブルドラムＤを回転自在に支持している支持軸１を自立姿勢にある支持台２に支持させる際における取り扱い性を向上させるとともに、支持台２に着装されている支持軸１がドラム回転軸芯方向に抜け出すことを防止している。
【００３５】
〔第２実施形態〕
図７〜図９は、本発明の第２実施形態を示し、軸受け部７を構成する外側脚部材３の軸受け部材７Ａと内側脚部材４の軸受け部材７Ｂとを、支持台２が自立姿勢にあるとき及び格納姿勢にあるとき、図８（イ）及び（ロ）に示すように、両軸受け部材７Ａ，７Ｂの開口７ｍで形成される支持軸１を挿通するための実質開口幅１Ｗが支持軸１の外径ｄよりも小となるように組み付けることにより、支持軸１が支持台２の軸受け部７から径方向外方に抜け出すことを防止する抜け止め手段Ｓが構成されているとともに、両脚部材３，４を自立姿勢から格納姿勢への切り換え方向にやや相対揺動させた特定の着脱姿勢にあるときは、図８（ハ）に示すように、両軸受け部材７Ａ，７Ｂの開口７ｍがドラム回転方向で合致した状態となり、支持軸１を挿通するための実質開口幅１Ｗが支持軸１の外径ｄよりも大（すなわち、軸受け部材７Ａ，７Ｂの開口幅と同一幅）となり、軸受け部７の開口７ｍを通して支持軸１の着脱を許容する構成になっている。
【００３６】
そして、軸受け部７を構成する両軸受け部材７Ａ，７Ｂの隣接端面間には、両脚部材３，４の相対揺動位置を固定して、支持台２を着脱姿勢及び格納姿勢で維持するための位置決め手段として、図９（イ）に示すように、外側脚部材３の軸受け部材７Ａには一つの凸部８が形成され、内側脚部材４の軸受け部材７Ｂには、図９（ロ）に示すように、外側脚部材３の軸受け部材７Ａに形成された凸部８と支持台２が自立姿勢にあるときに係合してその着脱姿勢を維持する第１凹部９Ａと、支持台２が格納姿勢にあるときに係合してその格納姿勢を維持する第２凹部９Ｂとが形成されている。
【００３７】
なお、その他の構成は、前記第１実施形態と同一であり、第１実施形態で記載した構成部分と同一構成又は同一機能を有する構成部分には同一番号を付記してそれの説明を省略する。
【００３８】
〔別実施形態〕
次に別実施形態を列記する。
【００３９】
上述の第１及び第２実施形態では、支持軸１及び脚部材３，４をステンレス鋼で製作していたが、これに限るものではなく、合成樹脂やその他の材料から製作されたものであってもよい。
【００４０】
上述の第１及び第２実施形態では、支持軸２を挿通させたドラムＤとしてケーブルドラムを一例として挙げたが、使用例としてはこれに限るものではない。
【００４１】
上述の第１及び第２実施形態では、脚部材３，４のそれぞれに、２つの軸受け部材７Ａ，７Ｂを設けたが、軸受け部材７Ａ，７Ｂの数も複数であればこれに限るものではない。
【００４２】
また、軸受け部材７Ａ，７Ｂの開口７ｍが断面優弧形状に形成されているが、半円筒状又はそれに類似した形状であれば、他の形状に形成してもよい。
【００４３】
上述の第１実施形態では、軸受け部７を構成する両軸受け部材７Ａ，７Ｂの隣接端面間に、支持台２を自立姿勢及び格納姿勢で維持するための位置決め手段８，９Ａ，９Ｂが形成され、第２実施形態では、両軸受け部材７Ａ，７Ｂの隣接端面間に、支持台２を着脱姿勢及び格納姿勢で維持するための位置決め手段８，９Ａ，９Ｂが形成されていたが、位置決め手段の有無は本発明を限定するものではない。
【００４４】
そして、上述の第１及び第２実施形態では、支持軸１に軸受け部７の外側端面と接当可能な鍔部１ｂが形成されていたが、鍔部１ｂは軸受け部７の内側端面と接当するものを用いてもよく、鍔部１ｂが形成されていない支持軸１を用いてもよい。
【図面の簡単な説明】
【００４５】
【図１】本発明の第１実施形態のドラム支持装置が自立姿勢にある時の形態を示す斜視図
【図２】第１実施形態のドラム支持装置が格納姿勢にある時の形態を示す斜視図
【図３】第１実施形態のドラム支持装置が自立姿勢及び格納姿勢にある時の形態を示す側面図
【図４】第１実施形態のドラム支持装置が自立姿勢及び格納姿勢にある時の軸受け部の形態を示す側面視断面図
【図５】第１実施形態の自立姿勢及び格納姿勢にある時の軸受け部の正面視断面図
【図６】第１実施形態の各軸受け部材の隣接端面を示す図
【図７】本発明の第２実施形態にあるドラム支持装置の自立姿勢にある時の形態を示す斜視図
【図８】第２実施形態のドラム支持装置が自立姿勢及び格納姿勢にある時の軸受け部の形態を示す側面視断面図
【図９】第２実施形態の各軸受け部材の隣接端面を示す図
【図１０】従来のドラム支持装置の自立姿勢を示す斜視図
【図１１】従来のドラム支持装置の格納姿勢を示す斜視図
【符号の説明】
【００４６】
１        支持軸
１ａ      把持部
１ｂ      鍔部
２        支持台
３        脚部材
４        脚部材
７        軸受け部
７Ａ      軸受け部材
７Ｂ      軸受け部材
７ｍ      開口
８        位置決め手段
９Ａ      位置決め手段
９Ｂ      位置決め手段
１０      連結部材
１０ａ    軸受け面
１０ｍ    開口
Ｄ        ドラム
Ｓ        抜け止め手段
１Ｗ      実質開口幅
【図１】
2005178977.tif 000003
【図２】
2005178977.tif 000004
【図３】
2005178977.tif 000005
【図４】
2005178977.tif 000006
【図５】
2005178977.tif 000007
【図６】
2005178977.tif 000008
【図７】
2005178977.tif 000009
【図８】
2005178977.tif 000010
【図９】
2005178977.tif 000011
【図１０】
2005178977.tif 000012
【図１１】
2005178977.tif 000013